(57)【特許請求の範囲】
【請求項１】
工事用エレベーター類の搬器とカウンターウエイトを連結するワイヤーロープを、ガイドポストに取り付けたトップシーブに掛け回し、工事の進捗に伴って上昇させるクライミング工法において、
ガイドポストに沿って装置本体を昇降可能、かつ、固定可能に設け、その装置本体にトップシーブを回転可能に装着したフレームを設け、フレームは、トップシーブの回転軸方向に対して直交方向側方へスライド可能に設けるとともに、
それによって、ガイドポストを躯体に固定している支持材と抵触しないように、トップシーブをスライド時にガイドポストの外側まで移動可能に構成したことを特徴とする工事用エレベーター類のクライミング工法におけるトップシーブ装置。
【請求項２】
装置本体は、ガイドポストの外側を取り囲むコの字型の平面形状を持つ台枠を有し、ガイドポストに接触して回転する複数個の回転車輪が台枠の内側に設けられており、装置本体の台枠の上面が作業台として使用される構成を有している請求項１記載の工事用エレベーター類のクライミング工法におけるトップシーブ装置。
【請求項３】
装置本体は、コの字型を有する平面形状の開口部分を閉じる位置において、左右方向へスライド可能に設けたフレームを備えており、そのフレームの横枠に接触して回転する複数個のガイドロールを有している請求項１記載の工事用エレベーター類のクライミング工法におけるトップシーブ装置。
【請求項４】
装置本体は、コの字型を有する平面形状の開口部分を閉じる位置において、左右方向へスライド可能に設けたフレームを固定する手段と、上記開口部分を開いてガイドポストの外側まで移動した位置でフレームを固定する手段を備えている請求項１記載の工事用エレベーター類のクライミング工法におけるトップシーブ装置。
【請求項５】
クライミング時に、トップシーブに掛け回されたワイヤーロープの搬器側のワイヤーエンドを外して置く、ワイヤーロープの固定尻手をフレームのスライド方向とは逆側のカウンターウエイトへ向かう側の装置本体に備えている請求項１記載の工事用エレベーター類のクライミング工法におけるトップシーブ装置。
【請求項６】
トップシーブは、上半分が脱索止めカバーによって覆われており、このカバーは、搬器から取り外したワイヤーエンドをスライドさせてトップシーブから外すときに、トップシーブを覆う位置から開いて、トップシーブの上半部を露出させる構成を有している請求項１記載の工事用エレベーター類のクライミング工法におけるトップシーブ装置。
【発明の詳細な説明】
【技術分野】
【０００１】
本発明は、工事用エレベーター類の搬器とカウンターウエイトを連結するワイヤーロープを、ガイドポストに取り付けたトップシーブに掛け回し、工事の進捗に伴って上昇させるようにするクライミング工法におけるトップシーブにおけるトップシーブ装置に関するものである。
【背景技術】
【０００２】
工事用エレベーターには、搬器の重量とのバランスを取るためにカウンターウエイトが備わっており、搬器とカウンターウエイトとはワイヤーロープで連結され、ガイドポスト上端に取り付けたトップシーブに、ワイヤーロープを掛け回す構成を有している。ガイドポストは、建築工事の進捗に伴い、建造物の高さに応じて継ぎ足して行くので、継ぎ足しの都度、トップシーブをガイドポスト頂部に装着し直す必要があった。その工事はクライミングと呼ばれる方法によって行われ、従来は、工事用タワークレーン等を使用して、取り外したトップシーブを躯体側の適所に仮置きし、ガイドポストの継ぎ足し後に、その頂部に再装着する方法が主流であった。
【０００３】
そこで本出願人はトップシーブユニットをガイドポストに取り付けたままで、障害物と干渉することなく上方へ移動可能とする工法を開発し、成果の一部について出願をした。クライミング工法においては、トップシーブユニット（トップシーブ装置に同じ）の一時撤去を行なわずに済ませるために、ガイドポスト頂部に装着されるトップシーブユニットの固定手段を取り外し、新たなガイドポストをクライミング高さまで継ぎ足し、その後、ガイドポストを躯体側に繋ぎ止めている壁つなぎブラケットのような部材と干渉し合わない退避位置にトップシーブを移動させておいて、継ぎ足したガイドポストの頂部までトップシーブユニットを上昇させ、トップシーブを退避位置から元の作業位置に戻し、再固定するという方法を取る。
【０００４】
しかし、上記のクライミング工法では、トップシーブをトップシーブ軸の軸方向へ移動させる必要があり、そのため回避できるものは、実質的にガイドポストを躯体側に固定する支持材の一部のみであり、それ以外の部材との干渉を避けることはできないという制約があった。ガイドポストは、躯体側に壁つなぎと呼ばれる構造体を使用して結合されており、壁つなぎとの抵触を回避できるクライミング工法であることが望ましい。けれども、この要求を満足する技術は未だ提案されていない。
【０００５】
【特許文献１】特開平６−２４６７３号
【特許文献２】特開平７−３３３６４号
【発明の開示】
【発明が解決しようとする課題】
【０００６】
本発明は前記の点に着目してなされたもので、その課題は、クライミング工法においてガイドポストを躯体側に結合している壁つなぎと呼ばれる部材等についても抵触を回避することができるようにすることである。また本発明の他の課題は、エレベーターの使用に無関係にガイドポストを上方へ継ぎ足すことが可能な工事用エレベーター類のクライミング工法におけるトップシーブ装置を提供することである。
【課題を解決するための手段】
【０００７】
前記の課題を解決するため、本発明は、ガイドポストに搬器を昇降可能に装備した工事用エレベーター類の、搬器とカウンターウエイトを連結するワイヤーロープを、ガイドポストに取り付けたトップシーブに掛け回し、工事の進捗に伴って上昇させるクライミング工法において、ガイドポストに沿って装置本体を昇降可能、かつ、固定可能に設け、その装置本体にトップシーブを回転可能に装着したフレームを設け、フレームは、トップシーブの回転軸方向に対して直交方向側方へスライド可能に設けるとともに、それによって、ガイドポストを躯体に固定している支持材と抵触しないように、トップシーブをスライド時にガイドポストの外側まで移動可能に構成するという手段を講じたものである。
【０００８】
対象とする工事用エレベーターは、一般に、左右一対のガイドポストを有し、両ガイドポストの間に搬器を配置して吊り下げ、この搬器と重量的なバランスを取るためのカウンターウエイトとを連結しているワイヤーロープを、各ガイドポスト頂部に装着したトップシーブに掛け回した構成を有している。従って、トップシーブ装置は、一般には、左右の両ガイドポストの頂部に装着されていることが望まれる。
【０００９】
左右のガイドポストにはガイドレールが上下方向に取り付けられており、ガイドポストに搬器などの昇降経路としての機能を与えている。このため、ガイドポストのことをガイドレールと呼ぶこともあるが、ガイドポストの本来の目的は搬器を吊り下げるための構造体である。ガイドレールは、ガイドポストに取り付けられているか、或いは、構造体の一部を利用しているものである。なお、搬器とカウンターウエイトを連結するワイヤーロープは、ワイヤーエンドに、端部処理部材を有しており、尻手にてトップシーブ装置の本体に着脱される。
【００１０】
そのようなガイドポストには、装置本体が、ガイドポストに沿って昇降可能かつ固定可能に設けられている。装置本体の昇降は、ガイドポストに設けられているガイドレールとそれに接触する回転輪によって行なわれる。また、装置本体には、装置本体に装備されている動力装置によって自力で昇降する方法と、外部からの操作或いは動力によって他力で昇降する方法のどちらでも適用可能である。装置本体の固定のための手段は、装置本体をガイドポストに装着する方法と、装置本体の移動を止める方法がある。
【００１１】
装置本体には、トップシーブを回転可能に装着するためのフレームを設ける。フレームは、トップシーブの取り付け部であるとともに退避手段であり、トップシーブの回転軸方向に対して直交方向側方へスライド可能に設けられている。トップシーブは、水平軸に軸受けされているので、水平軸の直交方向側方とは、左右どちらか、或いは上下どちらか、ということになる。
【００１２】
フレームに取り付けられているトップシーブは、上記のように、装置本体の側方へスライドさせ、ガイドポストの外側まで移動可能である。トップシーブをガイドポストの外側まで移動させることで、トップシーブは装置本体と躯体との間から退避し、壁つなぎ等の支持材もトップシーブ装置の上昇の邪魔になることがないので、ガイドポストを継ぎ足した後であればいつでも、装置本体を上昇させることが可能になる。このことは、トップシーブ及びそれを取り付けているフレームの位置にかかわらず、ガイドポストを継ぎ足しても良いということを意味する。つまり、予めガイドポストを必要な高さまで、工事の進行とは無関係に継ぎ足しておくことができる。
【００１３】
装置本体の好ましい形態では、装置本体は、ガイドポストの外側を取り囲むコの字型又はコの字の一角を削除した形状に相当する¬型の平面形状を持つ台枠を有し、ガイドポストに接触して回転する複数個の回転車輪が台枠の内側に設けられており、装置本体の台枠の上面が作業台として使用される構成を有している。この台枠は、装置本体の外方へ或る程度張り出しており、その張り出し部分を作業スペースに利用することができる。また、台枠は装置を自力昇降方式で構成する場合の動力源の設置場所としても利用される。
【００１４】
また、装置本体は、コの字型又は¬型を有する平面形状の、躯体側に配置される開口部分を閉じる位置において、左右方向へスライド可能に設けたフレームを備えており、そのフレームの横枠に接触して回転する複数個のガイドロールを有していることが望ましい。回転車輪が接触するガイドポストの部分は、搬器を昇降させる昇降機構を構成しているガイドレールと共通で良い。このガイドレールは、ガイドポストの構造体の一部でも、或いは構造体に別に取り付けたものでもどちらでも良い。
【００１５】
さらに、装置本体は、コの字型又は¬型を有する平面形状の開口部分を閉じる位置において、左右方向へスライド可能に設けたフレームを固定する手段と、躯体側に配置される上記開口部分を開いてガイドポストの外側まで移動した位置でフレームを固定する手段を備えていることが望ましい。フレームを固定する手段としては、例えば抜き差し可能なピンが簡便かつ確実で良く、この方式は、開口部分を閉じる位置についても、また開口部分を開く位置についても、同様に使用できる。しかし、それ以外にも、掛け金式、ボルト止め式など公知の任意の手段、方法をフレームの固定手段として適用することができる。
【００１６】
また、クライミング時に、トップシーブに掛け回されたワイヤーロープの搬器側におけるワイヤーエンドを外して置くために、ワイヤーロープの固定尻手を、フレームのスライド方向とは逆側のカウンターウエイトへ向かう側の装置本体に備えている。このことは、ワイヤーエンドを搬器から外した後の処理として必要になる。ワイヤーエンドを外す前に搬器は、ガイドポストに前もって固定して置くことはいうまでもないが、外したワイヤーを、ガイドポストを継ぎ足したのちすぐにトップシーブに掛け回すことができるように、継ぎ足し作業の間、ワイヤーの自重を支える目的でワイヤーエンドを仮止めして置くものである。
【発明の効果】
【００１７】
本発明は上記のように構成されかつ作用するものであるから、トップシーブを装置本体に装着しているフレームが、装置本体と躯体との間からほぼ完全に側方へ退避するので、ガイドポストを躯体側に結合している壁つなぎと呼ばれる支持材などがあっても、ガイドシーブ装置を、継ぎ足したガイドポストの頂部までスムーズに移動させることができるという効果を奏する。また本発明によれば、ガイドポストがある限りトップシーブ装置を上方へ移動させることが可能であり、工事の進行にかかわらず、ガイドポストを予め必要な高さまで継ぎ足すことができるので、作業性が著しく改善され、作業時間の大幅な短縮が可能になる。
【発明を実施するための最良の形態】
【００１８】
以下図示の実施形態を参照して本発明をより詳細に説明する。図において、１１、１２は直立した左右一対のガイドポストであり、両ガイドポスト１１、１２は夫々の四隅に、上下に伸びるガイドレール１３、１４、１３′１４′を有している（図１〜図３Ａ、図４Ａ参照）。両ガイドポスト１１、１２の間には搬器１５が配置されており、その搬器１５は図１において左右両側に昇降車輪１６、１７を有していて、これらの車輪１６、１７も上記のガイドレール１３、１４に案内される。
【００１９】
左右一対のガイドポスト１１、１２は、内外の対向面に上下方向のラックレール１８、１９を有しており、搬器１５に装備されている昇降モーター２１によって駆動される、ピニオン２２、２３がラックレール１８、１９と噛み合い、昇降可能とした構成を有している。搬器１５には操作盤２４、落下速度の制御のための電磁ブレーキ２５が設けられており、また、ガイドポスト１１、１２の基部内側には搬器１５用の衝撃緩和装置２６が設けられている。
【００２０】
このように構成された工事用エレベーター１０において、搬器１５はカウンターウエイト２７とワイヤーロープＷで連結され、そのワイヤーロープＷをガイドポスト頂部のトップシーブ３１に掛け回している。トップシーブ３１は、本発明に係るトップシーブ装置２０の装置本体３０に回転可能に設けられている。そのトップシーブ３１の軸受３２はフレーム３３に設けられ、フレーム３３は、トップシーブ３１の回転軸方向に対して直交する図３、図４では右側方向へスライド可能に設けられている。
【００２１】
図示の例において、装置本体３０はコの字型の平面形状を持つ台枠４０を有し（図３、図４）、コの字の開口部分３４は正面に位置している（図４Ａ）。装置本体３０の台枠内側には、ガイドポスト１１、１２に設けられたガイドレール１３、１４、１３′１４′に接触して回転可能となる複数個の回転車輪２８、２９が装着されており、回転車輪２８、２９は各ガイドレール１３、１４、１３′１４′に２方向から直角に接する配置を取る（図３、図４）。
【００２２】
フレーム３３はこの装置本体３０の開口部分３４を開閉するように、正面側に配置されており、左右に伸びる上下の横枠３５を有していて、この横枠３５は装置本体３０に装備されている複数対のガイドロール３６−１、３６−２…によって左右方向へスライド可能に設けられている。装置本体３０の台枠の上面は作業台として使用されるように床板３７が張られており、かつ、立枠３８によって囲まれている。
【００２３】
図示の例における台枠４０には、本装置２０を自力昇降可能にする動力源であるモーター３９が備え付けられており、モーター３９の出力軸によって駆動されるピニオン４１が前記のラックレール１８、１９と噛み合うようになっている。図３、図４では、左右一対のガイドポスト１１、１２の左方のものについてのみ説明しているが、右方のものについても全く同様のトップシーブ装置２０が設けられており、上記と同様のクライミング工法を実施することになるのは、図示の内容から判断されるように、自明のことである。モーター３９にはブレーキ装置が付属しており、これは装置本体３０の移動を止める固定手段の一つである。
【００２４】
さらに、装置本体３０は、コの字型の平面形状を有する台枠の開口部分３４を開く位置において、左右方向へのスライド可能に設けられているフレーム３３を固定する手段として、フレーム側の係止部４２を係止し開放位置に規定するストッパー４３と、その位置でフレームの戻りを防止するピン４４を有している。ピン４４は装置本体側に設けられていて、自重によりフレーム３３の係合口４５に係合可能とする。また、逆に、開口部分３４を閉じる位置においてフレーム３３を固定する手段として、装置本体側の受け部４６にフレーム３３の先端を固定する固定ピン４７を有している。
【００２５】
クライミング時に、トップシーブ３１に掛け回されたワイヤーロープＷの搬器側のワイヤーエンドＥを外して置く、ワイヤーロープＷの固定尻手４８がフレーム３３の、スライド方向とは逆側のカウンターウエイト２７へ向かう位置にて装置本体３０に設けられている。搬器１５から取り外したワイヤーエンドは、固定尻手４８にクリップ４９を用いて、仮に固定される。
【００２６】
図示の例では、トップシーブ３１は、上半分が脱索止めカバー５１によって覆われており、このカバー５１は、搬器１５から取り外したワイヤーエンドを、トップシーブ３１をスライドさせるために外すときに、図３Ｂのトップシーブ３１を覆う位置から回転して、トップシーブ３１の上半部を露出させることができる。トップシーブ３１はヒンジ５２により回転可能に設けられている。各図において、５３はフレーム操作用の取っ手、５４は躯体、５５はガイドポスト支持材としての壁つなぎであり、ガイドポスト１１、１２は躯体５４に壁つなぎ５５によって結合されている。５６カウンターウエイト受け止め装置、また、５７はブラケットであり、クライミング時にガイドポスト頂部の取り付け部５８に、トップシーブ装置２０を取り付けるために設けられている。上記のブラケット５７等は、装置本体３０をガイドポスト１１、１２に装着する固定手段の一つである。さらにこの他に、装置本体３０をガイドポスト１１、１２に機械的な固定手段により係合、固定することができる。
【００２７】
このように構成されている、本発明に係る装置を用いたクライミング工法について次に説明する。図６Ａは、トップシーブ装置２０のクライミング前の状態を示している。この状態では、ワイヤーロープＷはまだ搬器１５に接続されているので、搬器１５を、まず通常の停止位置よりも上昇させ、ガイドポスト１１、１２に固定し、その後ワイヤーエンドのコッターソケットを搬器１５から取り外す。カウンターウエイト２７は、ガイドポスト１１、１２の基部外側に設けられている受け止め装置５６に預けておく。
【００２８】
この状態において、トップシーブカバー５１の覆いを回転して、トップシーブ３１の上半部を露出させ、固定ピン４７を引き抜いて、フレーム３３を図中右方へスライドさせ、フレーム側の係止部４２がストッパー４３に突き当たるところまで移動させて、開口部分３４を開き、ピン４４を係合口４５に差し込み、フレーム３３を固定する。搬器１５から取り外したワイヤーエンドは、トップシーブ３１からも外して、固定尻手４８にクリップ４９で仮に固定しておく（図６Ｂ）。
【００２９】
このようにトップシーブ３１からワイヤーロープＷを外し、その後で、次の段階のガイドポスト１１′、１２′を既存のガイドポスト１１、１２に継ぎ足す作業に移る。しかし、図６の例では、トップシーブ３１のクライミングを行う前において、既に、次の段階のガイドポスト１１′、１２′が継ぎ足され、かつ、壁つなぎ５５によって固定された状態に図示されている。これは本発明では、次の図７に示すクライミングが、壁つなぎ５５の有無に関係無しに行われるからである。
【００３０】
すなわち、図７に示すクライミング工程では、トップシーブ装置は、モーター３９を起動して、装置本体３０を上昇させて行けばよい。これで、フレーム３３及びトップシーブ３１等が装置本体３０と一体のものとして上昇して行き（図７Ａ）、それに伴いワイヤーロープＷを繰り出すものとする。
【００３１】
トップシーブ３１のクライミングを行ったならば、フレーム３３をスライドさせて開口３４を閉じる位置に戻し、固定ピン４７によりフレーム３３を上記閉じ位置に固定する。また、ブラケット５７を用いてトップシーブ装置２０をガイドポスト１１′、１２′の頂部にボルト止め等の手段によって固定する（図５Ｂ参照）。さらに、仮に固定していたワイヤーエンドをトップシーブ３１に掛け回し、搬器１５を上昇させるとともに、搬器１５のワイヤーロープ取り付け部にコッターソケットを取り付け、搬器１５とカウンターウエイト２７とを接続したワイヤーロープＷを支えているトップシーブ３１のクライミング作業を終了する（図７Ｂ）。
【図面の簡単な説明】
【００３２】
【図１】本発明に係る工事用エレベーター類のクライミング工法におけるトップシーブ装置を示す正面図。
【図２】Ａは図１のものの平面図、Ｂは同じく右側面図、Ｃは左側ガイドポスト頂部の部分正面図。
【図３】本発明におけるトップシーブが、装置本体の定位置にある状態を示すもので、Ａは拡大平面図、Ｂは同じく正面図。
【図４】本発明におけるトップシーブが、装置本体の側方へ退避した位置にある状態を示すもので、Ａは拡大平面図、Ｂは同じく正面図。
【図５】本発明によるクライミング工程の１例を示すもので、Ａはクライミング時の側面図、Ｂはクライミング終了時の側面図。
【図６】図５と同様に、本発明によるクライミング工程の１例を示すもので、Ａはクライミング前を示す説明図、Ｂはフレームのスライドを示す説明図。
【図７】図６に続く工程を示すもので、Ａはクライミング時の説明図、Ｂはクライミング後の説明図。
【符号の説明】
【００３３】
１０  工事用エレベーター
１１、１２  ガイドポスト
１３、１４、１３′、１４′  ガイドレール
１５  搬器
１６、１７  昇降車輪
１８、１９  ラックレール
２０  トップシーブ装置
２１  昇降モーター
２２、２３  ピニオン
２７  カウンターウエイト
２８、２９  回転車輪
３０  装置本体
３１  トップシーブ
３２  軸受
３３  フレーム
３４  開口部分
３５  横枠
３６−１、３６−２．．．  ガイドロール
３７  床板
３８  立枠
３９  モーター
４０  台枠
４１  ピニオン
４２  係止部
４３  ストッパー
４４  ピン
４５  係合口
４６  受け部
４７  固定ピン
４８  固定尻手
４９  クリップ
５１  トップシーブカバー
５２  ヒンジ
５３  取っ手
５４  躯体
５５  壁つなぎ
【図１】
0004804144.tif 000002
【図２】
0004804144.tif 000003
【図３】
0004804144.tif 000004
【図４】
0004804144.tif 000005
【図５】
0004804144.tif 000006
【図６】
0004804144.tif 000007
【図７】
0004804144.tif 000008